(57)【要約】【課題】  防犯装置自体への電源を必要とせずに、不正行為による遊技機の開放を検知し得る遊技機の防犯装置を提供する。【解決手段】  本発明の遊技機の防犯装置は、中枠３が外枠２に対して開閉枢支される枠部材を備えるパチンコ機１に設置される防犯装置である。防犯装置は、衝撃に起因した歪みを生じることにより発電する圧電素子Pと、中枠３の開放動作により前記圧電素子Ｐに衝撃を与えるための、鉄球８、板バネ９及び板バネ係止片１０からなる衝撃発生部とから構成される発電手段、及び該発電手段において発生した電圧を用いて中枠３が外枠２から開放した際の開放信号を発信するための発信手段Ｄとを備えている。【選択図】  図５
2006068340.tif 000002
【特許請求の範囲】
【請求項１】
第一枠が第二枠に対して開閉枢支される枠部材を備える遊技機に設置される防犯装置であって、衝撃に起因した歪みを生じることにより発電する圧電素子、及び第一枠の開放動作により前記圧電素子に衝撃を与える衝撃発生部からなる発電手段と、該発電手段において発生した電圧を用いて第一枠が第二枠から開放した際の開放信号を発信可能な発信手段とを備えていることを特徴とする遊技機の防犯装置。
【請求項２】
衝撃発生部が、圧電素子に衝突させて歪みを加えるための衝突部材と、該衝突部材を支持し第一枠の開放動作に伴い振動することで、衝突部材が圧電素子に衝突するように形成された弾性部材とから構成してなる請求項１記載の遊技機の防犯装置。
【請求項３】
前記第一枠が第二枠から開放しないように施錠するための施錠装置を備えており、第一枠の施錠を正規の手段で解錠した場合には、圧電素子が発電しないようにして開放信号を発信させないように構成してなる請求項１又は２記載の遊技機の防犯装置。
【請求項４】
前記第一枠が第二枠から開放しないように施錠するための施錠装置を備えており、第一枠の施錠を正規の手段で解錠した場合に、弾性部材の振動を防止するための振動防止手段を備え、該振動防止手段により衝突部材が圧電素子へ衝突するのを防止して、圧電素子が発電しないように構成してなる請求項２記載の遊技機の防犯装置。
【請求項５】
前記第一枠が第二枠から開放しないように施錠するための施錠装置を備えており、第一枠の施錠を正規の手段で解錠した場合に、衝突部材の圧電素子への衝突を防止するための衝突防止手段を備え、該衝突防止手段により衝突部材が圧電素子へ衝突するのを防止して、圧電素子が発電しないように構成してなる請求項２記載の遊技機の防犯装置。
【請求項６】
前記施錠装置が鍵穴と連動して回転する回転体を備え、
該回転体の回転に連動して変位する弾性部材固定手段を備え、
該弾性部材固定手段は、前記施錠装置を施錠した状態では、前記弾性部材の固定を解除する位置に変位し、前記施錠装置を解錠した状態では、前記弾性部材を固定する位置に変位するように構成してなる請求項４、５のいずれか１に記載の遊技機の防犯装置。
【請求項７】
前記施錠装置が鍵穴と連動して回転する回転体を備え、
該回転体の回転に連動して変位する圧電素子保護板を備え、
該圧電素子保護板は、前記施錠装置を施錠した状態では、前記圧電素子と衝突部材との間以外の位置に変位し、前記施錠装置を解錠した状態では、前記圧電素子と衝突部材との間の位置に変位するように構成してなる請求項５に記載の遊技機の防犯装置。
【発明の詳細な説明】
【技術分野】
【０００１】
本発明は、パチンコ遊技機等の遊技機に対して不正行為による枠開放が行われた場合に、その不正な枠開放を検知するための遊技機の防犯装置に関する。
【背景技術】
【０００２】
パチンコ機等の遊技機は、ＲＯＭ、ＲＡＭ、ＣＰＵ等の電子部品を実装して構成された制御基板を備えている。このＲＯＭには遊技機製造メーカーが作成した遊技機の制御プログラム等の情報が書き込まれている。遊技機はＲＯＭの情報に基づいて賞球払い出しの個数や大当たりの発生頻度等のゲーム性を制御している。一般に、制御基板は遊技機の裏側に設置されており、外枠から中枠を開放しなければ外部から制御基板に触れることができないように構成されている。
【０００３】
近年、閉店後の遊技店に侵入し、遊技機の外枠から中枠を不正に開放して、制御基板に実装された正規のＲＯＭを不正なプログラムを書き込んだＲＯＭ（裏ＲＯＭと呼ばれている）に交換するという不正行為が増えている。このような不正行為を防止するためには、遊技機において交換された裏ＲＯＭを直ちに発見することが重要である。そこで、遊技機の中枠などが不正に開放されたことを的確に検出するための手段が提案されている（特許文献１参照）。
【０００４】
【特許文献１】特開２００１−９１３７号公報(図２、図３)
【０００５】
上記特許文献１に記載された方法は、遊技機に枠の開閉を検知するセンサを取り付け、前記センサを作動させるのに、遊技機の内部部品を作動させる電源とは別の電源を備えるものである。遊技店の閉店後は、遊技機の電源は全て切られているが、別の電源を備えていることから、翌日等にセンサにより枠の開放があったことを検知できる。
【発明の開示】
【発明が解決しようとする課題】
【０００６】
遊技店の閉店後は電力節約の為、遊技機設置島内の電源は全て切られるのが一般的である。しかし、上記特許文献１に記載の手段では、遊技機の電源を落とした状態であっても枠の開放を検知するセンサ専用に別の電源を準備する必要があり、その電源から遊技機の枠に設けたセンサへ配線が必要であるという問題があった。すなわち、各遊技機全てに、遊技機本体の配線とは別に配線を行うことは、遊技機設置島内部の配線が繁雑になってしまう。
【０００７】
また各遊技機には電源スイッチが設けられている。一つの島は一つのブレーカーによって管理されている。一般に遊技店では、枠に設けたセンサへの電源と、各遊技機への電源を管理する場合、一つのブレーカーで電源供給の入/切を管理することが多い。ブレーカーのスイッチを入/切して、センサの電源だけを「入」にして且つ各遊技機への電源を「切」にすることは不可能である。
【０００８】
そのため、センサへの電源を「入」として遊技機への電源を「切」とする場合には、各遊技機を一台毎に電源を落とすことになるので、その作業に非常に手間がかかるという問題がある。
【０００９】
本発明は上記従来技術の欠点に鑑みなされたものであり、防犯装置自体への電源を必要とせずに、不正行為による遊技機の開放を検知し得る遊技機の防犯装置を提供することを目的とする。
【課題を解決するための手段】
【００１０】
本発明は、
（１）第一枠が第二枠に対して開閉枢支される枠部材を備える遊技機に設置される防犯装置であって、衝撃に起因した歪みを生じることにより発電する圧電素子、及び第一枠の開放動作により前記圧電素子に衝撃を与える衝撃発生部からなる発電手段と、該発電手段において発生した電圧を用いて第一枠が第二枠から開放した際の開放信号を発信可能な発信手段とを備えていることを特徴とする遊技機の防犯装置、
（２）衝撃発生部が、圧電素子に衝突させて歪みを加えるための衝突部材と、該衝突部材を支持し第一枠の開放動作に伴い振動することで、衝突部材が圧電素子に衝突するように形成された弾性部材とから構成してなる上記（１）記載の遊技機の防犯装置、
（３）前記第一枠が第二枠から開放しないように施錠するための施錠装置を備えており、第一枠の施錠を正規の手段で解錠した場合には、圧電素子が発電しないようにして開放信号を発信させないように構成してなる上記（１）又は（２）記載の遊技機の防犯装置、
（４）前記第一枠が第二枠から開放しないように施錠するための施錠装置を備えており、第一枠の施錠を正規の手段で解錠した場合に、弾性部材の振動を防止するための振動防止手段を備え、該振動防止手段により衝突部材が圧電素子へ衝突するのを防止して、圧電素子が発電しないように構成してなる上記（２）記載の遊技機の防犯装置、
（５）前記第一枠が第二枠から開放しないように施錠するための施錠装置を備えており、第一枠の施錠を正規の手段で解錠した場合に、衝突部材の圧電素子への衝突を防止するための衝突防止手段を備え、該衝突防止手段により衝突部材が圧電素子へ衝突するのを防止して、圧電素子が発電しないように構成してなる上記（２）記載の遊技機の防犯装置、
（６）前記施錠装置が鍵穴と連動して回転する回転体を備え、
該回転体の回転に連動して変位する弾性部材固定手段を備え、
該弾性部材固定手段は、前記施錠装置を施錠した状態では、前記弾性部材の固定を解除する位置に変位し、前記施錠装置を解錠した状態では、前記弾性部材を固定する位置に変位するように構成してなる上記（４）、（５）のいずれか１に記載の遊技機の防犯装置、
（７）前記施錠装置が鍵穴と連動して回転する回転体を備え、
該回転体の回転に連動して変位する圧電素子保護板を備え、
該圧電素子保護板は、前記施錠装置を施錠した状態では、前記圧電素子と衝突部材との間以外の位置に変位し、前記施錠装置を解錠した状態では、前記圧電素子と衝突部材との間の位置に変位するように構成してなる上記（５）に記載の遊技機の防犯装置、
を要旨とする。
【発明の効果】
【００１１】
本発明の遊技機の防犯装置は、圧電素子、及び第一枠の開放動作により前記圧電素子に衝撃を与える衝撃発生部からなる発電手段と、該発電手段において発生した電圧を用いて第一枠が第二枠から開放した際の開放信号を発信可能な発信手段とを備えていることにより、閉店後の遊技店のように遊技機設置島内に電源が供給されていない状況下でも、圧電素子が発生する電圧を用いて開放信号を発生させることができる。例えばこの開放信号の受信機をホールコンピュータに接続し、開放信号の受信状態を記録しておけば、遊技店閉店後に侵入して第一枠を開放して裏ロムに交換する不正行為を行った場合、枠開放の事実を確認することができ、裏ロムの発見等を容易に行うことができる。
【００１２】
本発明の遊技機の防犯装置は電源が不要であるから、電源から遊技機の枠に設けたセンサへ配線が不要であり、遊技機設置島内部の配線が繁雑になることがない。
【００１３】
また本発明の遊技機の防犯装置は開放信号の発信に電源を必要としないために、遊技店の閉店後は、従来通り遊技機設置島内の電源をブレーカーにより一括して落としても、不正行為を確認することが可能である。センサへの電源を「入」として遊技機への電源を「切」とする必要がないため、各遊技機を一台毎に電源を落とす作業にかかる手間を省ける。
【００１４】
また本発明の遊技機の防犯装置において、衝撃発生部を衝突部材と弾性部材とから構成し、弾性部材が衝突部材を支持し第一枠の開放動作に伴い振動することで衝突部材が圧電素子に衝突するように形成した場合、第一枠の開放動作により衝撃発生部で確実に衝撃を発生させて発電することができる。
【００１５】
また上記遊技機の防犯装置において、前記第一枠が第二枠から開放しないように施錠するための施錠装置を備えており、第一枠の施錠を正規の手段で解錠した場合には、圧電素子が発電しないようにして開放信号を発信させないように構成すると、遊技店の店員等が鍵を使用して中枠等の第一枠を開放する場合のように、正当な手段で第一枠を開放した場合には開放信号を発信しないから、不正行為の開放信号のみを検知することを確実に行うことができる。
【００１６】
また上記遊技機の防犯装置において、第一枠の施錠を正規の手段で解錠した場合に、弾性部材の振動を防止するための振動防止手段を備え、該振動防止手段により衝突部材が圧電素子へ衝突するのを防止して、圧電素子が発電しないように構成した場合、遊技店の店員等が鍵を使用して中枠等の第一枠を開放する場合のように、正当な手段で第一枠を開放した場合には信号を発信しないから、不正行為の開放信号のみを検知することを確実に行うことができる。
【００１７】
また上記遊技機の防犯装置において、第一枠の施錠を正規の手段で解錠した場合に、衝突部材の圧電素子への衝突を防止するための衝突防止手段を備え、該衝突防止手段により衝突部材が圧電素子へ衝突するのを防止して、圧電素子が発電しないように構成した場合、不正行為の開放信号のみを検知することを確実に行うことができる。
【００１８】
また上記遊技機の防犯装置において、前記施錠装置が鍵穴と連動して回転する回転体を備え、該回転体の回転に連動して変位する弾性部材固定手段を備え、該弾性部材固定手段は、前記施錠装置を施錠した状態では、前記弾性部材の固定を解除する位置に変位し、前記施錠装置を解錠した状態では、前記弾性部材を固定する位置に変位するように構成してなる場合、鍵を使用して枠体を開放した場合には、鍵穴に連動して弾性部材固定手段が弾性部材を固定する位置に変位するから、枠体を開放させる場合にも弾性部材が振動せず、開放信号が発生しない、従って不正行為における前枠開放のみを検知することが確実にできる。
【００１９】
また上記遊技機の防犯装置において、前記施錠装置が鍵穴と連動して回転する回転体を備え、該回転体の回転に連動して変位する圧電素子保護板を備え、該圧電素子保護板は、前記施錠装置を施錠した状態では、前記圧電素子と衝突部材との間以外の位置に変位し、前記施錠装置を解錠した状態では、前記圧電素子と衝突部材との間の位置に変位するように構成してなる場合、鍵を使用して枠体を開放した場合には、鍵穴に連動して圧電素子保護板が衝突部材と圧電素子との間の位置に変位するから、枠を開放させる場合にも衝突部材が圧電素子に衝突しないから開放信号が発生しない。従って不正行為における枠体開放のみを検知することが確実にできる。
【発明を実施するための最良の形態】
【００２０】
以下、本発明の実施例を図面を用いて詳細に説明する。本実施例では本発明の遊技機の一例としてパチンコ機を用いて説明する。図１は本発明の防犯装置が設けられるパチンコ機を示し、（ａ）は側面図、（ｂ）は裏面図である。図２（ａ）は図１の外枠を裏面側から見た斜視図であり、図２（ｂ）は図１の中枠及び前枠を裏面側から見た斜視図である。パチンコ機１は図１（ａ）、（ｂ）に示すように、外枠２、中枠３、及び前枠４の３つの枠体から構成される。
【００２１】
図２（ａ）に示すように前記外枠２は、縦長方形に形成されていて、遊技機設置島（図示しない）に固定されるパチンコ機の外側の枠である。また図２(ｂ)に示すように中枠３は、開口前面側の左側上下の支持部３ａ、３ｂが、前記外枠２の左側上下に設けられた軸支部２ａ、２ｂによって軸支されている。中枠３はパチンコ機１の左端に位置する軸支部２ａ、２ｂを支点として回動し、横開き状態に開閉可能に組み付けられている。図１（ｂ）、図２（ｂ）に示すように、中枠３の裏面側には各種の制御装置５（５ａ、５ｂ、５ｃ、５ｄ）が取り付けられている。また図示しないが、中枠３の前面側には遊技盤が取り付けられている。
【００２２】
なお本発明において、特に断りがない場合、パチンコ機の「前側」とはパチンコ機の遊技盤を正面から見た場合の前面側を意味し、「裏側」とは背面側を意味する。また「左側」はパチンコ機を前側から見た場合に、向かって左側のことである。図１(ｂ)、図２（ａ）、(ｂ)はパチンコ機を裏側から見た図であるから、パチンコ機の「左側」は図中では右側である。
【００２３】
前枠４は開口前面側の左端側が前記中枠３に対して回動自在に軸支されている。図２では記載を省略したが、前枠４は、左側上下の支持部が、前記中枠３の左側上下の保持部によって軸支され、該保持部を支点として回動し、横開き状態に開閉可能に組み付けられている。また前枠４には、遊技盤を透視保護するためのガラス枠が設けられている。また、上記中枠３の下部には下球皿、打球発射装置等が装着され、中枠３の後側には機構セット板が組付けられ、その後側には、球タンク、及び各種の球経路、払出部等の裏面部品が装着セットされている。
【００２４】
図２に示すように中枠３の右側の端部付近の裏面には施錠装置６が取り付けられる。図３はパチンコ機１の施錠装置の一例を示す分解斜視図である。この施錠装置６は、（Ａ）外枠２に対して中枠３を閉じた位置に固定して開放しないように施錠する第一の施錠機構、及び、（Ｂ）中枠３に対して前枠４を閉じた位置に固定して開放しないように施錠する第二の施錠機構と、（Ｃ）両方の施錠機構に共通するシリンダ錠６ｃとを備えている。施錠装置６は、シリンダ錠６ｃに挿入した鍵６ｄの回転方向によって、上記第一の施錠機構、第二の施錠機構の解錠を選択できるように構成されている。
【００２５】
上記第一の施錠機構は、図３に示すように、縦長で水平断面がＬ字型の板状体からなる基体６１の上下端部に中枠係止用鉤部材６２ａ、６２ａが軸支され、さらにこれらの上下の中枠係止用鉤部材６２ａ、６２ａを連結する連結杆６３ａが設けられている。
中枠係止用鉤部材６２ａ、６２ａは、通常の状態では、スプリング等により常に上方に付勢されるように形成されている。シリンダ錠６ｃの錠軸６５にカム板６６が軸着されている。連結杆６３ａには、前記カム板６６の端部６６ａが当接する中枠解錠片６７ａが設けられている。
連結杆６３ａは、中枠係止用鉤部材６２ａ、６２ａが基体６１に対して軸支される軸部よりも後端側（パチンコ機を正面から見た場合には前側）にて上下の中枠係止用鉤部材６２ａ、６２ａを連結しており、連結杆３ａを上方に押し上げると、両中枠係止用鉤部材６２ａ、６２ａの端部（先端側）は下方に移動するように構成されている。
また図１（ｂ）、図２（ａ）に示すように、外枠２の右側端部の所定の位置に、前記中枠係止用鉤部材６２ａ、６２ａを上方に付勢された状態で係止させるための係止片６４ａ、６４ａが設けられている。また施錠装置６には錠軸６５に回転体７が連接されている。回転体７は、施錠装置６の鍵６ｄの回動と連動して回転するように構成されている。
上記第一の施錠機構のうち、中枠係止用鉤部材６２ａ以外の部材は、全て中枠の裏面側に設けられ、シリンダ錠６ｃは中枠及び前枠に設けた貫通孔（図示せず）を介して前枠の前面に臨んでいる。
【００２６】
上記第二の施錠機構は、図３に示すように、前枠係止用鉤部材６２ｂ、６２ｂが前記第一の施錠機構とは反対側のパチンコ機１の前面側に突出するように、基体６１の上下の所定の位置に軸支される。この上下の位置は、前枠４の上下端部付近の位置となるように設けられる。さらに前枠係止用鉤部材６２ｂ、６２ｂは連結杆６３ｂによって連結されており、第一の施錠機構と同様にスプリング等により常に上方に付勢されるように形成されている。
連結杆６３ｂは、前枠係止用鉤部材６２ｂ、６２ｂが基体６１に対して軸支される軸部よりも前端側（パチンコ機を正面から見た場合には前側）にて上下の前枠係止用鉤部材６２ｂ、６２ｂを連結しており、連結杆６３ｂを下方に押し下げると、両前枠係止用鉤部材６２ｂ、６２ｂの端部（先端側）も下方に移動するように構成されている。
前記連結杆６３ｂには、回転板７に設けた突起片１４によりスライド部材１５を介して押し下げられる前枠解錠片６７ｂが形成されている（図６（ａ）、（ｂ）、図７（ａ）、（ｂ）参照。）。
前枠係止用鉤部材６２ｂ、連結杆６３ｂ、解錠片６７ｂは、中枠の前面側に設けられ、前枠解錠片６７ｂは、開口部１３を介して中枠の裏面側に突出している。
また、特に図示しないが、前枠４の右側端部の所定の位置には、前記前枠係止用鉤部材６２ｂ、６２ｂを上方に付勢された状態で係止させるための係止片が設けられている。
【００２７】
施錠装置６において、シリンダ錠６ｃの鍵穴に鍵６ｄを差込んで遊技機前面から見て右回り（時計回り）に回転させると、シリンダ錠６ｃの錠軸６５に軸着されたカム板６６が回動し、端部６６ａが中枠解錠片６７ａに当接して連結杆６３ａを上方に押し上げるように作動し、このことで中枠係止用鉤部材６２ａ、６２ａが下方に移動する。中枠係止用鉤部材６２ａ、６２ａが上方へ付勢されていて係止片６４ａ、６４ａに対して係合した状態が解除され、中枠３を開放することができる。
【００２８】
またシリンダ錠６ｃの鍵６ｄを遊技機前面から見て左回り（反時計回り）に回転させると、図７（ｂ）に示すように回転体７の突起片１４がスライド部材１５を押し下げ、該スライド部材１５が前枠解錠片６７ｂを押し下げ、前枠解錠片６７ｂが連結杆６３ｂを下方に押し下げ（図３参照）、連結杆６３ｂの端部の前枠係止用鉤部材６２ｂ、６２ｂを下方に押し下げ、前枠係止用鉤部材６２ｂ、６２ｂが上方へ付勢されていて係止片（図示せず）に対して係合した状態が解除され、前枠４を中枠３から開くことができる。
【００２９】
図４（ａ）〜（ｄ）に本発明の第一実施形態として、中枠用の防犯装置の実施例を示す。なお、図４（ａ）〜（ｄ）はパチンコ機を裏側から見た図である。中枠用の防犯装置では、第一枠が中枠であり第二枠は外枠である。防犯装置は中枠３の裏面側に取り付けられる。防犯装置は、図４（ａ）及び図５（ａ）に示すように、衝撃に起因した歪みを生じることにより発電する圧電素子Ｐ、及び中枠３の開放動作により前記圧電素子Ｐに衝撃を与える衝撃発生部からなる発電手段と、該発電手段において発生した電圧を用いて中枠３が外枠２から開放した際の開放信号を発信可能な発信手段Ｄとを備えている。
【００３０】
衝撃発生部は、図４（ａ）〜（ｄ）に示すように、圧電素子Ｐに衝突させて歪みを加えるための衝突部材としての鉄球８と、該鉄球８を支持し中枠３の開放動作に伴い振動することで、鉄球８が圧電素子Ｐに衝突するように形成された弾性部材としての板バネ９とから構成されている。板バネ９は上部先端近くに鉄球８が取り付けられ、下方が折り曲げられている。図４（ｄ）に示すように板バネ９の折り曲げ部から下の部分が施錠装置の基体６１の裏面に接合されている。一方板バネ９の鉄球８の取付部及び先端部を含む折り曲げ部から上は、図５（ａ）に示すように、圧電素子Ｐと間隔を有するように取り付けられている。
【００３１】
更に衝撃発生部において中枠開放動作により板バネを振動させるための機構として、図５（ａ）〜（ｄ）に示すように、外枠２の右側の側壁内面の所定の位置に、板バネ係止片１０が取り付けられている。板バネ係止片１０は図５（ａ）〜（ｄ）に示すように、先端が鈎状に形成され、板バネ９の先端を係止できる形状に形成されていて、中枠の開放動作により板バネ９が振動することで、鉄球８が圧電素子Ｐに衝撃を与える。
【００３２】
図５（ａ）に示すように、中枠３が外枠２に対して閉鎖されている状態では、板バネ９の先端は外枠２に固定された板バネ係止片１０によって係止されている。図５（ｂ）に示すように、一定距離Ｈ１まで外枠２から中枠３を開放させると、板バネ９は先端が板バネ係止片１０により係止されているため、弾性により撓んだ状態となる。
【００３３】
図５（ｃ）に示すように更に外枠２から中枠３を開放して、所定の距離Ｈ２まで開放すると、板バネ９の先端が板バネ係止片１０の先端から外れて、板バネ９は撓みが戻る力によりパチンコ機１の前後方向（図中では左右方向）に振動する。板バネ９が前後に振動すると、板バネ９に取り付けられている鉄球８が圧電素子Ｐに衝突して衝撃を与える。この衝撃により、圧電素子Ｐが歪むことで発電する。発生した電圧は、圧電素子Ｐに接続された発信手段Ｄに供給され、発信手段Ｄは開放信号を発信する。
【００３４】
中枠３を外枠２に閉じた場合は、図５（ａ）に示すように、板バネ９の先端が板バネ係止片１０の先端の鈎状部に係止された状態に戻る。
【００３５】
圧電素子Ｐは、鉄球の衝突の衝撃による機械的エネルギーを電気的エネルギーに変換可能な素子であれば良く、無機系、有機系のものが利用できる。例えばＰＺＴ（ｐｉｅｚｏｅｌｅｃｔｒｉｃ  ｃｅｒａｍｉｃｓ）系の圧電セラミックス素子が挙げられる。圧電セラミックス素子は、多結晶体に直流高電圧を印加し残留分極を発生させて圧電性を持たせた素子である。
【００３６】
発信手段Ｄは、圧電素子Ｐによって電圧が発生した場合、その電圧を利用して、開放信号を発信するように回路が形成されている。発信手段Ｄは、該発信手段Ｄから発信される開放信号がホールコンピュータに接続された受信機によって受信されるように形成されている。
【００３７】
また図４に示す防犯装置には、施錠装置６を正規の手段で（鍵６ｄを使用して）中枠３の施錠を解錠した場合には、圧電素子Ｐが発電しないようにして開放信号を発信させないようにするためのロック手段が設けられている。ロック手段は、図４（ａ）〜（ｄ）に示すように、施錠装置６に連動する回転体７に取り付けられて上下に移動可能であり板バネ９の振動を防止するためのクランク１１と、該クランク１１の動きをガイドする案内部材１２とから構成されている。クランク１１は、長尺な板状体からなり中程にガイド部１１ａが設けられ、下端がＬ字状の固定部１１ｂとして形成されている。また、案内部材１２は、前記クランクのガイド部１１ａが係合するガイド溝１２ａが設けられている。
【００３８】
図４（ａ）、（ｃ）は、施錠装置６を施錠した状態を示し、図４（ｂ）、（ｄ）は施錠装置６を鍵６ｄを使用して解錠した状態を示す。図４（ａ）、（ｃ）に示すように施錠装置６を施錠した状態（通常の中枠３と外枠２を閉鎖した状態である。）では、クランクの固定部１１ｂが板バネ９の固定を解除する位置に変位している。クランク１１の先端の固定部１１ｂは板バネ９の上方に退避して、板バネ９を全く覆わない状態に位置している。
【００３９】
これに対し図４（ｂ）、（ｄ）に示すように、施錠装置６の中枠３の施錠を鍵を使用して解錠した状態（正規の手段で解錠した状態である。）では、クランクの固定部１１ｂは板バネ９の遊技機裏面側の板バネ係止片１０側の位置に変位している。施錠装置６のシリンダ錠６ｃの鍵穴に鍵６ｄを差込んでパチンコ機１前面から見た場合の時計方向に回転させて解錠すると、同図に示すように、第一の施錠機構の係止片６２、６２が下方に移動し外枠２に設けた係止片６４、６４から外れる。同時に鍵穴に連動して回転する回転体７も、シリンダ錠６ｃに連動して反時計方向（遊技機裏面から見た場合、図中矢印Ｒ方向）に回転する。回転体７に接続されたクランク１１は案内部材１２のガイド溝１２ａに係合し、先端の固定部１１ｂが斜め下方に移動する。
【００４０】
なお図４（ｂ）、（ｄ）に示すように、このときクランク１１の下端の固定部１１ｂは、板バネ９の上側を覆うように位置するが、板バネ９の上端はカバーしないように形成されている。そのため、クランク１１が板バネ係止片１０による板バネ９上端の係止を妨げない。
【００４１】
図５（ｄ）に施錠装置の鍵６ｄを回動させて解錠して中枠３を外枠２から開放した状態を示す。同図に示すように鍵６ｄを使用して解錠すると回転体７が回転しクランク１１の固定部１１ｂが板バネ９の上部を覆って、板バネ９の動きが制限された状態になる。この状態で中枠３を開放すると、板バネ係止片１０が板バネ９の上端を引っ張ることができずに板バネ係止片１０の係止が外れる。つまり板バネ９が撓むことなく板バネ係止片１０が板バネ９から外れてしまうから板バネ９は振動しない。板バネ９の先端が多少撓むことがあっても、板バネ９自体が振動する程の撓みは生じない。板バネ９の振動が防止されると、板バネ９に設けられた鉄球８が圧電素子Ｐに衝突することが防止される。圧電素子Ｐに鉄球８が衝突しないので発電しないから、中枠３を開放しても開放信号は発生しない。
【００４２】
これに対し施錠装置の鍵６ｄを使用しないで中枠を開放させた場合には、図５（ａ）〜（ｃ）を用いて説明した通り、鍵を使用しないと回転体７が回転しないために、クランクの固定部１１ｂによって板バネ９が固定されないので、中枠開放の際の開放信号を発信することができる。なお鍵を使用せずに中枠２を不正に開放させるには、特殊工具などを使用して、中枠３の中枠係止用鉤部材６２ａ、６２ａと外枠２の係止片６４，６４との係合を外す場合が想定される。
【００４３】
図６（ａ）、（ｂ）、図７（ａ）、（ｂ）は本発明の第二実施形態であり、前枠用の防犯装置の実施例を示す。なお、図６（ａ）、（ｂ）、図７（ａ）、（ｂ）はパチンコ機を裏側から見た図である。前枠用の防犯装置では、第一枠が前枠であり第二枠が中枠となる。この防犯装置は図６（ａ）及び図７（ａ）に示すように、圧電素子Ｐ、鉄球８、板バネ９等からなる発電手段、発信手段Ｄが中枠３の裏面側に取り付けられている。そして、前記板バネ９の上端付近を係止する板バネ係止片１０が前枠４の裏面側に取り付けられていて、中枠３よりもパチンコ機前面側から板バネ９を引っ張り撓みを加えるように構成されている。
【００４４】
図７（ａ）に示すように板バネ係止片１０は、中枠３の開口部１３を介して、中枠裏面側に取り付けられた板バネ９を係止するように構成されている。板バネ係止片１０は、先端が鉤状であり、板バネ９の先端付近を側面方向からひっかけて係止するように形成されている。
【００４５】
図６（ａ）及び図７（ａ）に示すように、回転体７は該回転体７の側面から突出するように突起片１４が延設されている。回転体７は突起片１４が、上下にスライド可能に取り付けられたスライド部材１５を押し下げ可能に形成されている。スライド部材１５は前枠解錠片６７ｂを下方に押し下げるための解錠部１５ａ、及び板バネ９の上端を固定するための固定部１５ｂが設けられている。
【００４６】
前枠を閉鎖した状態では、前枠係止用鉤部材６２ｂ、６２ｂは常に上方に押し付けられた状態である。前枠解錠片６７ｂは、前記前枠係止用鉤部材６２ｂに連動して上方に押し付けられている。その結果、前枠４が閉鎖した状態ではスライド部材１５はスプリング等によって、上方に押し付けられた状態となっている。
【００４７】
図８（ａ）〜（ｄ）は図６及び図7に示す防犯装置の第二実施形態の作用の説明図である。まず図８（ａ）に示すように、中枠３と前枠４が閉鎖されている状態では、板バネ９の先端は前枠４に固定された板バネ係止片１０によって係止されている。そして図８（ａ）は施錠装置６を施錠した状態であり、板バネ９を固定するスライド部材１５は、板バネ９の上方の位置に変位していて、板バネ９が自由に振動できる状態にある。
【００４８】
この前枠４が中枠３に施錠された状態から、図８（ｂ）に示すように板バネ９を固定せずに一定距離Ｈ３まで前枠４を開放させると、板バネ９は先端が板バネ係止片１０により係止されているため、弾性により撓んだ状態となる。なお、この状態は、鍵を使用せずに、特殊工具等で、前枠解錠片６７ｂを押し下げて不正な手段で前枠４を開放する場合である。
【００４９】
次いで図８（ｃ）に示すように、更に中枠３から前枠４を開放して、所定の距離Ｈ４まで開放すると、板バネ９の先端が板バネ係止片１０の先端から外れて、板バネ９は撓みが戻る力により、パチンコ機１の前後方向（図中では左右方向）に振動する。板バネ９がパチンコ機１の前後方向に振動すると、板バネ９に取り付けられている鉄球８が圧電素子Ｐに衝突して衝撃を与え、圧電素子Ｐが発電し、発信手段Ｄが開放信号を発信する。なお、前枠４を中枠３に押し込んで閉鎖すると、板バネ９の弾性によって、板バネ９の上端部が板バネ係止片１０の先端の鉤錠部に係止された状態に戻る。
【００５０】
鍵を使用して（正規の手段で）解錠して前枠を開放する場合は、図６（ｂ）、図７（ｂ）、図８（ｄ）に示すように、板バネ９の上端がスライド部材１５の固定部１５ｂに固定された状態で、前枠４は中枠３から開放される。シリンダ錠６ｃの鍵穴に鍵６ｄを差込んでパチンコ機前面から見て反時計方向に回して解錠すると、同図に示すように、回転体７がシリンダ錠６ｃに連動して回動し、パチンコ機前面から見た場合反時計回りに回転する（図６及び図７はパチンコ機裏面から見た状態を示しているので、図中では回転体７は時計回りに回転する。）と、回転体７の突起片１４が、スライド部材１５を押し下げる。スライド部材１５は前枠解錠片６７ｂを押し下げて、前枠解錠片６７ｂに連設されている前枠係止用鉤部材６２ｂが下方に移動して、前枠４の後側に設けた係止片から外れて、前枠４が中枠３から開放される。
【００５１】
このとき、下降したスライド部材１５は固定部１５ｂの先端が板バネ９の先端を保持して固定する位置に変位して、板バネ９の動きをロックした状態となる。この状態で前枠４を開放しても、図８（ｄ）に示すように、板バネ係止片１０は板バネ９の上端を引っ張らずに係止状態が外れることになる。その結果、板バネ９に撓みが与えられないので板バネ９は振動せず、鉄球８は圧電素子Ｐに衝突しないので発電できないから、発信手段Ｄは開放信号を発しない。
【００５２】
図９〜図１１は、第一実施態様の変形例であり、中枠の不正開放に対する防犯装置の実施例である。第一実施態様との相違点は、第一実施態様では図４に示すようにクランク１１の固定部１１ｂが板バネ９の後方の外枠２側に位置して板バネ係止片１０により引っ張られるのを防止しているのに対し、図９（ｂ）、図１０（ｂ）に示すように、鍵を使用して解錠した場合には、クランク１１の先端の衝突防止部１１ｄが圧電素子Ｐと鉄球８との間に位置するように変位して、鉄球８が圧電素子Ｐに衝突するのを防止するようにして、圧電素子が発電しないように構成したものである。また、施錠装置を施錠した状態では、図９（ａ）、図１０（ａ）に示すように、クランク１１は斜め上方の位置に変位して衝突防止部１１ｄが圧電素子Ｐと鉄球８との間から退避した状態にある。
【００５３】
図１１（ａ）に示すように、施錠装置を施錠して中枠３を閉鎖した状態では、クランク１１の衝突防止部１１ｄは、鉄球８が圧電素子Ｐに衝突するのを妨げない位置に変位しているから、施錠装置を解錠せずに不正な手段で中枠を開放しようとした場合、図１１（ｂ）に示すように、板バネ９は板バネ係止片１０によって撓みが生じて振動し、鉄球８が圧電素子Ｐに衝突し発電し開放信号が発信手段Ｄより発信される。
【００５４】
これに対し鍵を使用して解錠してから中枠を開放する場合には、図９（ｂ）、図１０（ｂ）及び図１１（ｃ）に示すように、鍵６ｄを回転させると中枠係止用鉤部材６２ａの係止が外れると共に、鍵６ｄに連動して回転体７が回転しクランク１１が斜めに下降して、クランク１１の下端の衝突防止部１１ｄが、鉄球８と圧電素子Ｐとの中間に位置する。中枠３が開放することで、外枠２に固定された板バネ係止片１０が、板バネ９の先端に撓みを与え振動が生ずる。しかし、クランク１１の衝突防止部１１ｄが、鉄球８と圧電素子Ｐの間に位置して鉄球８の圧電素子Ｐに対する衝突を防止し、圧電素子Ｐが発電せず開放信号は発信されない。従って、鍵を使用して正規の手段で解錠した場合には、衝突防止手段により衝突部材が圧電素子へ衝突するのを防止して圧電素子が発電せず開放信号が発信されず、不正行為によって中枠を開放した場合のみ、開放信号が発信されるから、不正行為における中枠開放のみを容易に検知できる。
【００５５】
図１２〜図１４は、第二実施形態様の変形例であり、前枠の不正開放に対する防犯装置の実施例である。第二実施態様（図６〜図８）との相違点は、第二実施態様では例えば図７（ｂ）に示すように、スライド部材１５の固定部１５ｂが板バネ９の先端を保持して固定する位置に変位して、板バネ９の動きをロックした状態としているのに対し、図１２（ｂ）、図１３（ｂ）に示すように、鍵を使用して解錠した場合には、板部材１６が鉄球８と圧電素子Ｐとの間に位置するように変位して、鉄球８が圧電素子Ｐに衝突するのを防止するように構成して、圧電素子が発電しないように構成したものである。
【００５６】
図１２（ａ）、（ｂ）、図１３（ａ）、（ｂ）に示すように、板部材１６は図中左側に傾斜面１６ａが設けられ、底面がスライド溝１７を図中左右水平方向に移動するように形成されされている。また回転体７の突起片１４に連動するスライド部材１５が、前枠解錠片６７ｂを下方に押し下げるための解錠部１５ａ、及び前記板部材１６の傾斜面１６ａに当接する板部材当接部１５ｅを備えている。スライド部材１５が回転体７の突起片１４によって下方にスライドすると、板部材当接部１５ｅは板部材１６の斜面に作用して、板部材１６はスライド溝１７に沿って鉄球８側に（図中右水平方向に）移動する。
【００５７】
なお、板部材１６は前枠４を施錠した状態では、図１２（ａ）に示すように、スプリングなどによって、図中左側に付勢されるように形成されている。
【００５８】
図１２（ａ）、図１３（ａ）に示すように、施錠装置を施錠して中枠３を閉鎖した状態では、板部材１６は、鉄球８と圧電素子Ｐとの間から退避して、鉄球８が圧電素子Ｐに衝突するのを妨げない位置に変位している。この状態から不正な手段で中枠を開放しようとした場合、板バネ９は板バネ係止片１０によって撓みが生じて振動し、鉄球８が圧電素子Ｐに衝突し発電し、開放信号が発信手段Ｄより発信される。
【００５９】
図１２（ｂ）、図１３（ｂ）及び図１４に示すように、鍵を使用して解錠した後、前枠を開放する場合には、鍵を回転させると前枠係止用鉤部材の係止が外れると共に、鍵に連動して回転体７が回転しスライド部材１５が下降して、板部材当接部１５ｅが板部材１６の傾斜面１６ａに当接し、該板部材１６をスライド溝１７に沿って移動させて鉄球８と圧電素子Ｐとの間に変位させる。
【００６０】
前枠４を開放すると、図１４に示すように、前枠４に固定された板バネ係止片１０が、板バネ９の先端を引っ張ることになり、前枠４を所定量以上開放し、板バネ係止片１０が外れて板バネ９が振動しても、板部材１６が鉄球８と圧電素子Ｐとの間に位置するから、鉄球８の圧電素子Ｐに対する衝突が防止されて、発電が起こらず発信手段Ｄから開放信号は発信されない。このように正規の手段で解錠して前枠４を開放した場合には開放信号が発信されず、不正行為によって前枠４を開放した場合のみ、開放信号が発信されるから、不正行為における前枠４の開放を容易に検知できる。
【００６１】
図１５〜図１７は、第一実施態様の変形例であり、中枠の不正開放に対する防犯装置の実施例である。第一実施態様との相違点は、図１５（ｂ）、図１６（ｂ）に示すように、板バネ９の折り曲げ部から下の部分が、基体６１に直接的に接合されているのではなく、板バネ支持部材１８に接合されており、鍵を使用して解錠した場合には、板バネ支持部材１８が下方に移動し、図１７（ｃ）に示すように、板バネ９に対する板バネ係止片１０の係止状態が外れるようにし、板バネ９が振動しないようにして、圧電素子Ｐを発電しないように構成したものである。なお板バネ９は、施錠装置を施錠した状態では、図１７（ａ）に示すように、板バネ係止片１０が板バネ９の上端を係止して、不正行為によって中枠３を開放した場合は、板バネ９が振動するように構成されている。
【００６２】
図１５（ａ）及び図１６（ａ）に示すように、板バネ９は折り曲げ部から下の部分が板バネ支持部材１８の支持部１８ａに固定されている。板バネ支持部材１８は、スプリング等（特に図示しない）を用いて上方に付勢されている。回転体７には回転に応じて上下するようにクランク１１が取り付けられている。クランク１１の下端が板バネ支持部材１８の上端に当接しており、クランク１１が下降すると板バネ支持部材１８も下降するように構成されている。
【００６３】
図１７（ａ）に示すように、中枠３を閉鎖した状態では、板バネ支持部材１８は上方に付勢されており、鉄球８が圧電素子Ｐに衝突する位置に変位していて、板バネ係止片１０が板バネ９の先端を係止している。この状態から不正な手段で中枠を開放しようとした場合、図１７（ｂ）に示すように、板バネ９は板バネ係止片１０によって撓みが生じて振動し、鉄球８が圧電素子Ｐに衝突し発電し発信手段Ｄより開放信号が発信される。
【００６４】
これに対し鍵を使用して解錠してから中枠を開放する場合には、図１５（ｂ）、図１６（ｂ）及び１７（ｃ）に示すように、鍵６ｄを回転させると中枠係止用鉤部材６２ａの係止が外れると共に、鍵６ｄに連動して回転体７が回転しクランク１１が下降して、クランク１１の下端に当接した板バネ支持部材１８を下方に押し下げる。板バネ支持部材１８には板バネ９が固定されているから、板バネ９もいっしょに下降する。その結果、板バネ９から板バネ係止片１０の係止が外れると共に、板バネ９に固定された鉄球８も圧電素子Ｐと衝突しない位置に退避する。
【００６５】
このように鍵を使用して中枠３を開放すると、外枠２に固定された板バネ係止片１０の係止が外れているので、中枠３を開放しても板バネ９の先端に撓みが加わらず、板バネ９は振動せず、開放信号は発生しない。正規の手段で解錠した場合には、板バネ支持部材１８が変位して板バネ９が板バネ係止片１０に係止された状態を解除して、板バネ９を振動しないように構成し圧電素子Ｐが発電せず開放信号を発信しないようにし、不正行為によって中枠を開放した場合のみ、開放信号が発信されるように構成し、不正行為における中枠開放のみを容易に検知するように構成することができる。
【００６６】
図１８〜図２０は、第二実施形態の変形例であり、前枠の不正開放に対する防犯装置の実施例である。第二実施態様（図６〜図８）との相違点は、図１８（ｂ）、図１９（ｂ）に示すように、板バネ９の折り曲げ部から下の部分が、基体６１に直接的に接合されているのではなく、板バネ支持部材１８に接合されており、鍵を使用して解錠した場合には、板バネ支持部材１８が下方に移動して板バネ支持部材１８に取り付けられた板バネ９も下方に変位するから、板バネ９と板バネ係止片１０の係止が外れて板バネ９が振動せず、圧電素子Ｐが発電しないように構成したものである。なお板バネ９は、施錠装置を施錠した状態では、図１８（ａ）に示すように、板バネ係止片１０が板バネ９の上部を係止して、前枠４の開放によって板バネ９が振動するように構成されている。
【００６７】
図１８（ａ）に示すように、板バネ９は折り曲げ部ら下の部分が板バネ支持部材１８に固定されている。板バネ支持部材１８は、スライド部材１５と一体に形成されている。板バネ支持部材１８は、スプリング等（特に図示しない）を用いて上方に付勢されている。図１８（ｂ）及び図１９（ｂ）に示すように、回転体７が回動して突起片１４がスライド部材１５を押し下げると、スライド部材１５と一体に形成された板バネ支持部材１８も一緒に下降して板バネ９が下降する。
【００６８】
前枠４を閉鎖した状態では、板バネ支持部材１８は上方に付勢されており、鉄球８が圧電素子Ｐに衝突する位置に変位していて、板バネ係止片１０が板バネ９の上方を係止している（図１８（ａ）、図１９（ａ）参照）。不正な手段で前枠４を開放しようとした場合は、板バネ９は板バネ係止片１０によって係止されているため撓みが生じて振動し、鉄球８が圧電素子Ｐに衝突し発電し発信手段Ｄより開放信号が発信される。
【００６９】
これに対し鍵を使用して解錠してから前枠４を開放する場合には、図１８（ｂ）、図１９（ｂ）及び図２０（ｂ）に示すように、鍵６ｄを回転させると前枠係止用鉤部材６２ｂの係止が外れると共に、鍵６ｄに連動して回転体７が回転し突起片１４がスライド部材１５を下方に押し下げる。スライド部材１５と板バネ支持部材１８は一体であるから、板バネ支持部材１８も下方に押し下げられ、板バネ支持部材１８には板バネ９が固定されているから、板バネ９もいっしょに下降し、板バネ９に対する板バネ係止片１０の係止が外れると共に、板バネ９に固定された鉄球８も圧電素子Ｐと衝突しない位置に退避する。
【００７０】
このように鍵を使用して前枠４を開放すると、板バネ９が下降した状態となって板バネ係止片１０の係止が外れているので、前枠４を開放しても板バネ９の先端に撓みが加わらず板バネ９は振動しないので開放信号は発生しない。このように正規の手段で解錠した場合には、板バネ支持部材が変位して板バネが板バネ係止片に係止された状態を解除して、板バネを振動しないように構成して圧電素子で発電させないようにして開放信号を発信しないようにし、不正行為によって前枠を開放した場合のみ、開放信号が発信されるように構成したので、不正行為における前枠開放を容易に検知できる。
【００７１】
本実施例では遊技機の一例としてパチンコ機を挙げて説明したが、本発明はスロットマシンに適用することができる。スロットマシンの場合には、本発明の第一枠は前枠であり、第二枠は筐体である。
【００７２】
また本実施例では、カム板６６に対して回転体７を別体に設けているが、回転体７をカム板６６と兼用とすることができる。この場合、カム板６６に突起片１４を設けるか、又はカム板６６の端部６６ａが突起片１４の機能を有するように形状を適宜変更させればよい。
【図面の簡単な説明】
【００７３】
【図１】本発明の防犯装置が用いられるパチンコ機を示し、（ａ）は、側面図であり、（ｂ）は、裏面図である。
【図２】（ａ）は図１のパチンコ機の外枠を裏面側から見た斜視図であり、（ｂ）は図１のパチンコ機の中枠及び前枠を裏面側から見た斜視図である。
【図３】パチンコ機の施錠装置の一例を示す分解斜視図である。
【図４】（ａ）、（ｂ）は本発明の防犯装置の第一実施形態を示す正面図であり、（ｃ）、（ｄ）は斜視図であり、（ａ）、（ｃ）はクランクが解除位置にある状態を示し、（ｂ）、（ｄ）はクランクが固定位置にある状態を示す。
【図５】（ａ）〜（ｄ）は図４の防犯装置の作用を説明するための説明図である。
【図６】本発明の防犯装置の第二実施形態を示し、（ａ）は固定部が解除位置にある状態を示す正面図であり、（ｂ）は固定部が固定位置にある状態を示す正面図である。
【図７】（ａ）は図６（ａ）の斜視図であり、（ｂ）は図６（ｂ）の斜視図である。
【図８】（ａ）〜（ｄ）は第二実施形態の作用の説明図であり、（ａ）は中枠と前枠が閉鎖されている状態を示し、（ｂ）は板バネを固定せずに一定距離まで中枠を開放させた状態を示し、（ｃ）は板バネを固定させずに中枠を開放させた状態を示し、（ｄ）は板バネを固定して中枠を開放させた状態を示す。
【図９】本発明の防犯装置の第一実施形態の変形例を示す正面図であり、（ａ）は鍵未使用の状態を示し、（ｂ）は鍵使用の状態を示す。
【図１０】（ａ）は図９（ａ）の斜視図であり、（ｂ）は図９（ｂ）の斜視図である。
【図１１】（ａ）〜（ｃ）は図９の防犯装置の作用を説明するための説明図である。
【図１２】本発明の防犯装置の第二実施形態の変形例を示す正面図であり、（ａ）は鍵未使用の状態を示し、（ｂ）は鍵使用の状態を示す。
【図１３】（ａ）は図１２（ａ）の斜視図であり、（ｂ）は図１２（ｂ）の斜視図である。
【図１４】図１２の防犯装置の作用を説明するための説明図である。
【図１５】本発明の防犯装置の第一実施形態の変形例を示す正面図であり、（ａ）は鍵未使用の状態を示し、（ｂ）は鍵使用の状態を示す。
【図１６】（ａ）は図１５（ａ）の斜視図であり、（ｂ）は図１５（ｂ）の斜視図である。
【図１７】（ａ）〜（ｃ）は図１５の防犯装置の作用を説明するための説明図である。
【図１８】本発明の防犯装置の第二実施形態の変形例を示す正面図であり、（ａ）は鍵未使用の状態を示し、（ｂ）は鍵使用の状態を示す。
【図１９】（ａ）は図１８（ａ）の斜視図であり、（ｂ）は図１８（ｂ）の斜視図である。
【図２０】（ａ）、（ｂ）は、図１８の防犯装置の作用を説明するための説明図である。
【符号の説明】
【００７４】
１  パチンコ機
２  外枠
２ａ、２ｂ  軸支部
３  中枠
３ａ、３ｂ  支持部
４  前枠
５  制御装置（５ａ、５ｂ、５ｃ、５ｄ）
６  施錠装置
６ｃ  シリンダ錠
６ｄ  鍵
７  回転体
８  鉄球（衝突部材）
９  板バネ（弾性部材）
１０  板バネ係止片
１１    クランク
１１ａ  ガイド部
１１ｂ  固定部
１１ｄ  衝突防止部
１３  開口部
１４  突起片
１５  スライド部材
１５ａ解錠部
１５ｂ固定部
１５ｅ板部材当接部
１６  板部材
１６ａ傾斜面
１７  スライド溝
１８  板バネ支持部材
Ｐ  圧電素子
Ｄ  発信手段
６２ａ中枠係止用鉤部材
６２ｂ前枠係止用鉤部材
６５  錠軸
６７ａ中枠解錠片
６７ｂ前枠解錠片
【図１】
2006068340.tif 000003
【図２】
2006068340.tif 000004
【図３】
2006068340.tif 000005
【図４】
2006068340.tif 000006
【図５】
2006068340.tif 000007
【図６】
2006068340.tif 000008
【図７】
2006068340.tif 000009
【図８】
2006068340.tif 000010
【図９】
2006068340.tif 000011
【図１０】
2006068340.tif 000012
【図１１】
2006068340.tif 000013
【図１２】
2006068340.tif 000014
【図１３】
2006068340.tif 000015
【図１４】
2006068340.tif 000016
【図１５】
2006068340.tif 000017
【図１６】
2006068340.tif 000018
【図１７】
2006068340.tif 000019
【図１８】
2006068340.tif 000020
【図１９】
2006068340.tif 000021
【図２０】
2006068340.tif 000022